(57)【要約】【課題】  縦型電気泳動装置の電気泳動モジュールの提供。【解決手段】  直立カートリッジシートの側面に開口が上向きの凹部を設け、凹部の周縁に緩衝手段を設け、別にカートリッジシートの両端に挟持アセンブリを設け、該挟持アセンブリを挟持体と回転つまみで構成し、キャリーシートをカートリッジシートの凹部と挟持体の間に置き、さらに回転つまみを回して挟持体でキャリーシートセットを凹部周縁の緩衝手段に向けて圧接し、キャリーシートセットの周縁を密封した後にゲル注入作業を行ない、キャリーシートセットを挟持させたカートリッジシートを電気泳動槽中に置き、直接電気泳動分離工程を行なえるようにした。【選択図】        図６
0003101581.tif 000002
【実用新案登録請求の範囲】
【請求項１】
直立カートリッジシートの左右両端にそれぞれ一組の挟持アセンブリが設けられ、各挟持アセンブリが少なくとも一つの挟持体と該挟持体を駆動して移動させる回転つまみを具え、該挟持体にキャリーシートセットの挟持方向と平行な案内溝が設けられて直立カートリッジシートの対応位置に設けられた凸柱が挿入され、並びに該挟持体に回転つまみと連動関係を形成する斜め溝が設けられ、回転つまみに斜め溝に挿入される押し棒が設けられ、回転つまみが回される時、該押し棒と斜め溝の案内作用によりキャリーシートセットが直立カートリッジシートに向けて押圧されるよう形成されたことを特徴とする、縦型電気泳動装置の電気泳動モジュール。
【請求項２】
請求項１記載の縦型電気泳動装置の電気泳動モジュールにおいて、挟持アセンブリに直立カートリッジシートの前後側に対応してそれぞれ一つの挟持体が設けられたことを特徴とする、縦型電気泳動装置の電気泳動モジュール。
【請求項３】
請求項２記載の縦型電気泳動装置の電気泳動モジュールにおいて、直立カートリッジシートの前後側にそれぞれ開口が上向きの凹部が設けられ、該凹部の周縁に緩衝手段が設けられたことを特徴とする、縦型電気泳動装置の電気泳動モジュール。
【請求項４】
請求項１記載の縦型電気泳動装置の電気泳動モジュールにおいて、直立カートリッジシートの上部両側に電極コネクタが設けられ、二つの電極コネクタの間に直立カートリッジシート底部に延伸された導線が設けられ、キャリーシートセットを挟持した直立カートリッジシートが電気泳動槽中に置かれて直立カートリッジシートの上部の電極コネクタが電源線と接続されることで電気泳動分離工程が行なえることを特徴とする、縦型電気泳動装置の電気泳動モジュール。
【請求項５】
請求項１記載の縦型電気泳動装置の電気泳動モジュールにおいて、直立カートリッジシート内部に蛇行チャネルが設けられ、並びに蛇行チャネルの両端に管継手が設置されて入水管路及び出水管路と接続されて冷却水の直立カートリッジシートへの入出に供されて電気泳動槽内部の導電器の作業温度を下げることを特徴とする、縦型電気泳動装置の電気泳動モジュール。
【請求項６】
請求項１記載の縦型電気泳動装置の電気泳動モジュールにおいて、直立カートリッジシート底面が両側より中心に向けて漸次低くなる溝型設計とされ、気泡上昇を加速する機能を具備し、導電液が通電により発生する気泡の直立カートリッジシート或いはキャリーシートセットの表面への付着を防止したことを特徴とする、縦型電気泳動装置の電気泳動モジュール。
【請求項７】
請求項１記載の縦型電気泳動装置の電気泳動モジュールにおいて、電気泳動モジュールに架体が配設され、該架体が直立カートリッジシートの放置に供される底板を具え、該底板の上に直立カートリッジシートを囲む立壁が設けられ、並びに底板の直立カートリッジシートの両側に対応する位置に直立カートリッジシートの上面へと凸伸する凸耳が設けられ、該凸耳に軸孔が設けられてカム軸が対応する軸孔間に挿通され、カム軸の、キャリーシートセットの上縁に対応する位置にカムが設けられ、該底板のキャリーシートセットの底縁に対応する位置に弾性ガスケットが設けられ、キャリーシートセットが直立カートリッジシートに挟持された時、直立カートリッジシートがキャリーシートセットと一体に架体中に置かれ、並びにカム軸が架体の直立カートリッジシート上部に突伸する軸孔間に通され、さらにカム軸が回されてカムがキャリーシートセットの上部を押さえ、並びに全体の直立カートリッジシートがキャリーシートセットと共に弾性ガスケットを圧迫してキャリーシートセットの底端が弾性ガスケットの押し上げにより密封され、且つキャリーシートセットの上縁と直立カートリッジシートの上面が揃えられてサンプル溶液とゲルの封入作業に供されることを特徴とする、縦型電気泳動装置の電気泳動モジュール。
【請求項８】
請求項７記載の縦型電気泳動装置の電気泳動モジュールにおいて、架体の底板にカム軸の挿入に供される嵌め孔が設けられたことを特徴とする、縦型電気泳動装置の電気泳動モジュール。
【請求項９】
請求項７記載の縦型電気泳動装置の電気泳動モジュールにおいて、架体の立壁の内側壁面に直立カートリッジシートを定位に案内する凸條が設けられたことを特徴とする、縦型電気泳動装置の電気泳動モジュール。
【考案の詳細な説明】
【技術分野】
【０００１】
本考案は一種の縦型電気泳動装置の電気泳動モジュールに係り、バイオテクノロジーにおいて電気泳動を利用してＤＮＡ、ＲＮＡ、及びタンパク質分析工程を行なうのに用いられ、ゲル注入したキャリーシートセットを電気泳動槽中に挿入して電気泳動分離工程を行なうのに便利な、電気泳動モジュールに関する。
【背景技術】
【０００２】
電気泳動法はバイオテクノロジーにおいてＤＮＡ、ＲＮＡ、及びタンパク質の分離と分析を行なう方法であり、その原理は電流で分子を駆動し、分子を多孔性物質ゲル上で泳動させ、移動時にそのイオン性成分の付帯する電荷及び分子自身の大きさの差異性により分離を行なう、というもので、バイオテクノロジーの基礎理論の応用上、極めて重要な一環である。
【０００３】
図１に示されるように、電気泳動法による分離工程の前には、まず分離及び分析したいサンプル溶液及びゲルをキャリーシートセット３０の空隙中に注入する必要がある。該キャリーシートセット３０はガラス或いはアクリル材質で形成された二片のキャリーシート３１の周囲に適当な厚さのガスケット３２を設置し、さらにクランプ６０で二つのキャリーシート３１を挟持した後、二つのキャリーシート３１の間にガスケット３２の厚さの隔離により空隙を形成させたものであり、前述のサンプル溶液及びゲルをキャリーシートセット３０の該空隙中に注入し、ゲルの凝固成形後に、ゲルを注入したキャリーシートセットを電気泳動槽中に置き、前述の電気泳動法による分離工程を行なう。
【０００４】
また、周知のキャリーシートセット３０を挟持するクランプ６０は挟持作用を有するだけでキャリーシートセット３０に対する有効な位置決め機能を具備せず、二つのキャリーシート３１にゲル注入するか或いはゲル凝固後に電気泳動槽に移動させる過程で、二つのキャリーシート３１が移動したり、全体のキャリーシートセット３０が衝突してゲルの制作効果に影響が生じやすい。特に、全体のキャリーシートセット３０を注意深くホルダに放置してゲルの固定成形を待たねばならず、全体のサンプルの製作プロセスが煩瑣であり、且つ器材或いはサンプルの毀損を発生しやすい。
【０００５】
これにより、クランプが確実にキャリーシートセット３０を位置決めできない欠点を解決するために、図２に示される技術が提供され、それはフレーム７０を利用し、直接調整ネジ７１で二つのキャリーシート３１を押圧し、並びにキャリーシートセット３０を位置決めし、衝突を防止している。しかし、各一組のキャリーシートセット３０は四つ以上の調整ネジ７１で押圧して固定しなければならず、快速に正確に各調整ネジ７１の押圧の深さを調整することができず、二つのキャリーシート３１の間隙が平均せず、特に調整ネジ７１を回し過ぎると二つのキャリーシート３１を損壊させる恐れがある。
【０００６】
このほか、周知の電気泳動装置は電気泳動槽で分子の分離、分析を行なうため、前述の二種類のキャリーシートセット挟持構造は、そのキャリーシートセットをサンプル製作完成後に、ホルダより取り出してから電気泳動槽に移動させ、さらに煩瑣な固定動作によりキャリーシートセットを位置決めしなければならず、ゆえに使用上、予期される便利さがなく、煩瑣な動作の誤差が分子スペクトルの正確性に影響を与え得る。
【考案の開示】
【考案が解決しようとする課題】
【０００７】
本考案は縦型電気泳動装置の電気泳動モジュールを提供することを目的とし、それは直立カートリッジシートの側面に開口が上向きの凹部を設け、凹部の周縁に緩衝手段を設け、別にカートリッジシートの両端に挟持アセンブリを設け、該挟持アセンブリを挟持体と回転つまみで構成し、キャリーシートをカートリッジシートの凹部と挟持体の間に置き、さらに回転つまみを回して挟持体でキャリーシートセットを凹部周縁の緩衝手段に向けて圧接し、キャリーシートセットの周縁を密封した後にゲル注入作業を行ない、キャリーシートセットを挟持させたカートリッジシートを電気泳動槽中に置き、直接電気泳動分離工程を行なえるようにしたものとする。
【課題を解決するための手段】
【０００８】
請求項１の考案は、直立カートリッジシートの左右両端にそれぞれ一組の挟持アセンブリが設けられ、各挟持アセンブリが少なくとも一つの挟持体と該挟持体を駆動して移動させる回転つまみを具え、該挟持体にキャリーシートセットの挟持方向と平行な案内溝が設けられて直立カートリッジシートの対応位置に設けられた凸柱が挿入され、並びに該挟持体に回転つまみと連動関係を形成する斜め溝が設けられ、回転つまみに斜め溝に挿入される押し棒が設けられ、回転つまみが回される時、該押し棒と斜め溝の案内作用によりキャリーシートセットが直立カートリッジシートに向けて押圧されるよう形成されたことを特徴とする、縦型電気泳動装置の電気泳動モジュールとしている。
請求項２の考案は、請求項１記載の縦型電気泳動装置の電気泳動モジュールにおいて、挟持アセンブリに直立カートリッジシートの前後側に対応してそれぞれ一つの挟持体が設けられたことを特徴とする、縦型電気泳動装置の電気泳動モジュールとしている。
請求項３の考案は、請求項２記載の縦型電気泳動装置の電気泳動モジュールにおいて、直立カートリッジシートの前後側にそれぞれ開口が上向きの凹部が設けられ、該凹部の周縁に緩衝手段が設けられたことを特徴とする、縦型電気泳動装置の電気泳動モジュールとしている。
請求項４の考案は、請求項１記載の縦型電気泳動装置の電気泳動モジュールにおいて、直立カートリッジシートの上部両側に電極コネクタが設けられ、二つの電極コネクタの間に直立カートリッジシート底部に延伸された導線が設けられ、キャリーシートセットを挟持した直立カートリッジシートが電気泳動槽中に置かれて直立カートリッジシートの上部の電極コネクタが電源線と接続されることで電気泳動分離工程が行なえることを特徴とする、縦型電気泳動装置の電気泳動モジュールとしている。
請求項５の考案は、請求項１記載の縦型電気泳動装置の電気泳動モジュールにおいて、直立カートリッジシート内部に蛇行チャネルが設けられ、並びに蛇行チャネルの両端に管継手が設置されて入水管路及び出水管路と接続されて冷却水の直立カートリッジシートへの入出に供されて電気泳動槽内部の導電器の作業温度を下げることを特徴とする、縦型電気泳動装置の電気泳動モジュールとしている。
請求項６の考案は、請求項１記載の縦型電気泳動装置の電気泳動モジュールにおいて、直立カートリッジシート底面が両側より中心に向けて漸次低くなる溝型設計とされ、気泡上昇を加速する機能を具備し、導電液が通電により発生する気泡の直立カートリッジシート或いはキャリーシートセットの表面への付着を防止したことを特徴とする、縦型電気泳動装置の電気泳動モジュールとしている。
請求項７の考案は、請求項１記載の縦型電気泳動装置の電気泳動モジュールにおいて、電気泳動モジュールに架体が配設され、該架体が直立カートリッジシートの放置に供される底板を具え、該底板の上に直立カートリッジシートを囲む立壁が設けられ、並びに底板の直立カートリッジシートの両側に対応する位置に直立カートリッジシートの上面へと凸伸する凸耳が設けられ、該凸耳に軸孔が設けられてカム軸が対応する軸孔間に挿通され、カム軸の、キャリーシートセットの上縁に対応する位置にカムが設けられ、該底板のキャリーシートセットの底縁に対応する位置に弾性ガスケットが設けられ、キャリーシートセットが直立カートリッジシートに挟持された時、直立カートリッジシートがキャリーシートセットと一体に架体中に置かれ、並びにカム軸が架体の直立カートリッジシート上部に突伸する軸孔間に通され、さらにカム軸が回されてカムがキャリーシートセットの上部を押さえ、並びに全体の直立カートリッジシートがキャリーシートセットと共に弾性ガスケットを圧迫してキャリーシートセットの底端が弾性ガスケットの押し上げにより密封され、且つキャリーシートセットの上縁と直立カートリッジシートの上面が揃えられてサンプル溶液とゲルの封入作業に供されることを特徴とする、縦型電気泳動装置の電気泳動モジュールとしている。
請求項８の考案は、請求項７記載の縦型電気泳動装置の電気泳動モジュールにおいて、架体の底板にカム軸の挿入に供される嵌め孔が設けられたことを特徴とする、縦型電気泳動装置の電気泳動モジュールとしている。
請求項９の考案は、請求項７記載の縦型電気泳動装置の電気泳動モジュールにおいて、架体の立壁の内側壁面に直立カートリッジシートを定位に案内する凸條が設けられたことを特徴とする、縦型電気泳動装置の電気泳動モジュールとしている。
【考案の効果】
【０００９】
本考案の縦型電気泳動装置の電気泳動モジュールは、直立カートリッジシートの側面に開口が上向きの凹部を設け、凹部の周縁に緩衝手段を設け、別にカートリッジシートの両端に挟持アセンブリを設け、該挟持アセンブリを挟持体と回転つまみで構成し、キャリーシートをカートリッジシートの凹部と挟持体の間に置き、さらに回転つまみを回して挟持体でキャリーシートセットを凹部周縁の緩衝手段に向けて圧接し、キャリーシートセットの周縁を密封した後にゲル注入作業を行ない、キャリーシートセットを挟持させたカートリッジシートを電気泳動槽中に置き、直接電気泳動分離工程を行なえるようにしている。
【考案を実施するための最良の形態】
【００１０】
本考案の縦型電気泳動装置の電気泳動モジュールは、電気泳動工程中に正確にキャリーシートセットの挟持、固定が行なえ、並びにキャリーシートセットを直接電気泳動槽に挿入できる。図３、４に示されるように、電気泳動モジュールは、直立カートリッジシート１０の少なくとも一側の側面に開口が上向きの凹部１１が設けられている。図示される実施例では、直立カートリッジシート１０の前後両側にそれぞれ凹部１１と緩衝手段１２が設けられ、緩衝手段１２がゴム條とされている。
【００１１】
また、直立カートリッジシート１０の左右両端に一組の挟持アセンブリ２０が設けられ、該挟持アセンブリ２０は前後二つの挟持体２１及び二つの挟持体２１を駆動し移動させる回転つまみ２２で構成される。直立カートリッジシート１０の前側を例として説明すると、一組のキャリーシートセット３０が直立カートリッジシート１０の前側の凹部１１の左右両端の前側挟持体２１の間に置かれ、さらに左右両端の回転つまみ２２が回されて前側の二つの挟持体２１が移動させられ、これによりキャリーシートセット３０が緊密に凹部１１周縁の緩衝手段１２に圧接され、こうして快速且つ正確にキャリーシートセット３０の挟持固定が行なわれる。また、該キャリーシートセット３０はガラス或いはアクリル材質の二片の薄片周囲に適宜厚さのガスケットを設置して二つの薄片を挟持固定したものとされ、サンプル溶液及びゲルが二つの薄片の間の空隙内に注入される。これは周知の技術であるため詳しい説明は省略する。
【００１２】
図５も参照されたい。前述の直立カートリッジシート１０の左右両端にそれぞれ一組の挟持アセンブリ２０が設けられ、そのうち一組の挟持アセンブリ２０を例として説明すると、その二つの挟持体２１の構造は同じであるが方向は反対とされる。そのうち、前側の挟持体２１を例として説明すると、該挟持体２１にキャリーシートセット３０の挟持方向と平行な複数の案内溝２３と傾斜状を呈する斜め溝２４が設けられ、直立カートリッジシート１０に該案内溝２３に対応して凸柱１０１が設けられて案内溝２３に凸柱１０１が挿入され、回転つまみ２２に斜め溝２４に挿入される押し棒２５が設けられている。回転つまみ２２が回される時、斜め溝２４に挿入された押し棒２５が斜め溝２４内を移動して挟持体２１を押動して後方に移動させ、また凸柱１０１が挿入された案内溝２３の案内により、挟持体２１が同期に後方に移動し、並びにキャリーシートセット３０が後方の凹部１１と緩衝手段１２の方向に向けて押圧されて、キャリーシートセット３０が緊密に圧接固定され、このように回転つまみ２２を回す簡単な動作でキャリーシートセット３０を固定でき、並びにキャリーシートセット３０の位置ずれを有効に防止できる。キャリーシートセット３０を取り出すときは、回転つまみ２２を反対方向に回せば、挟持体２１が開く。
【００１３】
前述したように、各一組の挟持アセンブリ２０の前後の挟持体２１の構造は同じで方向が反対であり、同時にもう一組のキャリーシートセット３０を挟持でき、その動作については説明を省略する。また、緩衝手段１２の機能は挟持体２１がキャリーシートセット３０を押圧する時、キャリーシートセット３０の位置ずれ或いは作用力の過大によるキャリーシートセット３０の破裂を防止することにある。
【００１４】
このほか、直立カートリッジシート１０の上部両側にそれぞれ電極コネクタ１３が設けられ、二つの電極の間に直立カートリッジシート１０の底部に延伸された導線１４が設けられ、図６に示されるように、サンプル溶液とゲルを注入したキャリーシートセット３０、及びキャリーシートセット３０を挟持した直立カートリッジシート１０が一体に電気泳動槽４０中に置かれ、並びに直立カートリッジシート１０上部の電極コネクタ１３を利用して電源線４１と接続され、緩衝液が電気泳動槽４０に注入された後に電源に導通されることで、直接ＤＮＡ、ＲＮＡ或いはタンパク質の分離及び分析の電気泳動工程を行なうことができ、煩瑣なキャリーシート固定動作が省略され、全体の電気泳動工程のプロセスが簡易化され、電気泳動分離工程の正確性を維持することができる。
【００１５】
直立カートリッジシート１０はキャリーシートセット３０と一体に電気泳動槽４０に置かれて電気泳動工程が実行される部品であり、図７及び図８に示されるように、直立カートリッジシート１０内部に蛇行チャネル１５が設けられ、並びに蛇行チャネル１５の両端に管継手１６が設けられ、入水管路１７及び出水管路１８が接続されて、冷却水の直立カートリッジシート１０内部の出入に供されて電気泳動槽内部の導電器の作業温度を下げるのに供される。及び、直立カートリッジシート１０の凹部１１底面は両側が中心に向けて漸次低くなる溝型に設計され、その傾斜面が気泡上昇を加速する作用を形成し、これにより緩衝液が通電作用により発生する気泡による導電作用の遮断が防止され、これにより電気泳動工程の進行が有効に制御される。
【００１６】
さらに、図９及び図１０に示されるように、本考案の全体の電気泳動モジュールには別に架体５０を配設してキャリーシートセット３０の上縁を揃えると共に、直立カートリッジシート１０とキャリーシートセット３０を放置するのに使用し、また、直立カートリッジシートの未使用時の収納に使用することが可能である。そのうち、架体５０は直立カートリッジシート１０を放置する底板５１を具え、該底板５１の上に直立カートリッジシート１０を囲む立壁５２が設けられ、立壁５２の内側壁面に直立カートリッジシート１０を定位に案内する凸條５６が設けられ、並びに底板５１の直立カートリッジシート１０の両側に対応する位置に直立カートリッジシート１０の上面へと凸伸する凸耳５３が設けられ、該凸耳５３に軸孔５４が設けられてカム軸５５が対応する軸孔５４間に挿通され、カム軸５５の、キャリーシートセット３０の上縁に対応する位置にカム５５１が設けられ、該底板５１のキャリーシートセット３０の底縁に対応する位置に弾性ガスケット５７が設けられている。
【００１７】
これにより、キャリーシートセット３０が直立カートリッジシート１０に挟持された時、直立カートリッジシート１０がキャリーシートセット３０と一体に架体５０中に置かれ、図１０に示されるように、並びにカム軸５５が架体５０の直立カートリッジシート１０上部に突伸する軸孔５４間に通され、さらに図１１に示されるように、カム軸５５が回されてカム５５１がキャリーシートセット３０の上部を押さえ、並びにキャリーシートセット３０が底板５１に向けて圧迫する。この時、底板５１に設けられた弾性ガスケット５７がキャリーシートセット３０の圧迫により弾性変形し、並びに反対にキャリーシートセット３０を上向きに押し上げる作用を形成し、これによりキャリーシートセット３０底部が密封状態を形成し、且つキャリーシートセット３０の上縁がカム５５１の素子を受けて直立カートリッジシート１０の上面と揃えられるため、キャリーシートセット３０を電気泳動槽に挿入する前のサンプル溶液及びゲルの封入作業に便利であり、後続の電気泳動工程で得られる分子スペクトルが更に正確となる。
【００１８】
また、電気泳動工程を実行しない時、図１２に示されるように、架体５０に直立カートリッジシート１０とキャリーシートセット３０を放置することができ、直立カートリッジシート１０とキャリーシートセット３０を集中保管することができ、これにより遺失や不必要な衝突を防止でき、また、架体５０の底板５１にカム軸５５を挿置できる嵌め孔５８を設けて、カム軸５５も共に集中保管することも可能である。
以上の実施例は本考案の実施範囲を限定するものではなく、本考案に基づきなしうる細部の修飾或いは改変は、いずれも本考案の請求範囲に属するものとする。
【図面の簡単な説明】
【００１９】
【図１】周知のクランプの薄片固定の構造表示図である。
【図２】周知のネジによる薄片固定の構造表示図である。
【図３】本考案の電気泳動モジュールの分解図である。
【図４】本考案のキャリーシートセットの取り付け方式表示図である。
【図５】本考案のキャリーシートセットの挟持状態図である。
【図６】本考案の電気泳動モジュールの使用状態図である。
【図７】本考案の直立カートリッジシートの斜視図である。
【図８】本考案の直立カートリッジシートの断面図である。
【図９】本考案中の架体の斜視図である。
【図１０】本考案中のカム軸と架体の取り付け方式表示図である。
【図１１】本考案中の架体を利用してキャリーシートセット上縁を揃えた状態の表示図である。
【図１２】本考案中の架体を利用して直立カートリッジシート、キャリーシートセット、カム軸を集中保管する使用状態図である。
【符号の説明】
【００２０】
１０  直立カートリッジシート        ３０  キャリーシートセット
１０１  凸柱                        ３１  キャリーシート
１１  凹部                          ４０  電気泳動槽
１２  緩衝手段                      ４１  電源線
１３  電極コネクタ                  ５０  架体
１４  導線                          ５１  底板
１５  蛇行チャネル                  ５２  立壁
１６  管継手                        ５３  凸耳
１７  入水管路                      ５４  軸孔
１８  出水管路                      ５５  カム軸
２０  挟持アセンブリ                ５６  凸條
２１  挟持体                        ５７  弾性ガスケット
２２  回転つまみ                    ５８  嵌め孔
２３  案内溝                        ６０  クランプ
２４  斜め溝                        ７０  フレーム
２５  押し棒                        ７１  調整ネジ
【図１】
0003101581.tif 000003
【図２】
0003101581.tif 000004
【図３】
0003101581.tif 000005
【図４】
0003101581.tif 000006
【図５】
0003101581.tif 000007
【図６】
0003101581.tif 000008
【図７】
0003101581.tif 000009
【図８】
0003101581.tif 000010
【図９】
0003101581.tif 000011
【図１０】
0003101581.tif 000012
【図１１】
0003101581.tif 000013
【図１２】
0003101581.tif 000014